(57)【要約】      （修正有）【課題】盗難が生じていないような場合にまで容易にケーブルが脱抜することを防止できる盗難防止タグを提供する。【解決手段】盗難防止装置１０００であって、商品または商品展示台に装着されて、ケーブル１１００と脱着可能に接続された盗難防止タグ１０１０において、ケーブルを、任意に解除可能に、固定するクランプ部１０５０を備える。また、好ましくは、クランプ部は、盗難防止タグに対するケーブルの接続方向と異なるケーブルの方向となるようにケーブルを固定する盗難防止タグとする。【選択図】図１
2019040576.tif 000002
【特許請求の範囲】
【請求項１】
商品または商品展示台に装着されて、ケーブルと脱着可能に接続される盗難防止タグにおいて、
前記ケーブルを、任意に解除可能に、固定するクランプ部を備える
ことを特徴とする盗難防止タグ。
【請求項２】
請求項１に記載の盗難防止タグにおいて、
前記クランプ部は、前記盗難防止タグに対する前記ケーブルの接続方向と異なる前記ケーブルの方向となるように前記ケーブルを固定する
ことを特徴とする盗難防止タグ。
【請求項３】
請求項１または請求項２に記載の盗難防止タグにおいて、
前記クランプ部は、前記ケーブルの前記盗難防止タグへの接続部に隣接して配置される
ことを特徴とする盗難防止タグ。
【請求項４】
請求項１乃至請求項３のいずれか一項に記載の盗難防止タグにおいて、
前記クランプ部は、前記ケーブルの前記盗難防止タグへの接続部に対し対称箇所に一対配置される
ことを特徴とする盗難防止タグ。
【請求項５】
請求項１乃至請求項４のいずれか一項に記載の盗難防止タグにおいて、
前記クランプ部は、前記ケーブルを挟持するトレンチ構造を有する
ことを特徴とする盗難防止タグ。
【請求項６】
請求項１乃至請求項５のいずれか一項に記載の盗難防止タグにおいて、
前記クランプ部は、
前記盗難防止タグを前記商品または前記商品展示台に装着した状態において、装着対象物側から前記ケーブルを前記クランプ部へ脱着可能とする空間が装着対象物との間に維持される構造である
ことを特徴とする盗難防止タグ。
【請求項７】
請求項５に記載の盗難防止タグにおいて、
前記トレンチ構造は、次第に幅が狭くなるテーパ形状であるか、または前記ケーブルがトレンチから脱落することを防止する凸状部を備えるか、または前記ケーブルがトレンチの深い位置で保持される凹状部を備える
ことを特徴とする盗難防止タグ。
【請求項８】
請求項１乃至請求項７のいずれか一項に記載の盗難防止タグにおいて、
前記ケーブルと前記盗難防止タグとが、前記ケーブルの雄コネクタを前記盗難防止タグの雌コネクタに挿入することで接続され、
前記ケーブルの雄コネクタが前記盗難防止タグの雌コネクタから引き抜けないようにロックするロック構造を備える
ことを特徴とする盗難防止タグ。
【請求項９】
請求項８に記載の盗難防止タグにおいて、
前記ロック構造は、
前記ケーブルの雄コネクタに設けられた突出部と、
前記盗難防止タグの雌コネクタに設けられた切り欠き部とを備え、
前記突出部が前記切り欠き部に嵌入するように前記ケーブルの雄コネクタを前記盗難防止タグの雌コネクタに挿入させ、前記突出部が前記雌コネクタの円周方向に設けられた溝内を回転することで、前記雌コネクタの前記溝を構成する溝壁に前記突出部が遮られて、引き抜けないようにロックされる
ことを特徴とする盗難防止タグ。
【発明の詳細な説明】
【技術分野】
【０００１】
本発明は、容易にケーブルが脱抜されることを防止できる盗難防止タグに関する。
【背景技術】
【０００２】
従来、店舗内や店頭で展示されている家電製品等の各種商品の盗難を防止するために、有線コードで繋がれた盗難防止タグを商品に貼付等する対策が行われている。盗難防止タグは、繋がれた有線コードが切断された場合やその電気的接続が遮断された場合等電気的接続が変化した場合に、警報音を発報したり、ＬＥＤ等の警報ランプを点灯させたり、または管理室等の親機に異常の発生を通知したりする。
【０００３】
これにより、いつ発生するのか予想不可能な盗難事件等の発生を未然に予防するとともに、万一の盗難発生時においても店舗管理責任者等に遅滞なく通知することで、常時店員によるその場監視をしなくても対応及び対策を講じることが可能となる。一方、展示品等を手にとって自身の手元でより詳細に観察しその使い勝手を確認等するお客様も少なからず存在するところ、このような場合にまで不本意な有線コードの脱抜や断線等の電気的接続の変化が発生し、不必要な警報音を発報させることが懸念される。
【０００４】
例えば、下記特許文献１には、コード２の先端に展示品１４に貼り付けられたときに状態が切り換わるスイッチ４を取り付け、このスイッチ４の近傍に、コード２に対して摺動可能であってスイッチ４とともに展示品１４に貼り付けられる中継ブラケット９を設けた、展示品の盗難警報装置が記載されている。また、これにより、盗難防止用のコードを使用した盗難防止装置において、盗難防止装置の誤動作を防止することが可能となることが記載されている。
【０００５】
また、下記特許文献２には、スマートフォン等の本体部分と電池等の蓋体部分とを跨ぐように貼付することにより、スマートフォン等の本体と電池等とを同時に盗難被害から守ることができる盗難防止タグが開示されている。より具体的には、シートタグコネクタ２０から延びているケーブル２１を引っ張ると、シートタグコネクタ２０からシートタグ１０が抜け、それによって警報装置４が作動することがあり、普通に展示しているスマートフォン等５０を手に取ったとき、ケーブル２１に何かが引っ掛かって、不意に警報装置４が作動することが懸念されることから、ケーブルクリップ２２を使って、ケーブル２１をスマートフォン等５０に係止しておくことで、不意による警報装置４の作動を減らすことができることが記載されている。
【先行技術文献】
【特許文献】
【０００６】
【特許文献１】特開平１０−０２７２８５号公報
【特許文献２】特開２０１３−０８０４４６号公報
【発明の概要】
【発明が解決しようとする課題】
【０００７】
しかし、商品の確認等を行うだけであるにも拘わらず警報音等が発報すれば、お客様に極めて不愉快な感情を抱かせてしまうこととなり、店舗側にとっても過剰対応が求められることとなり、双方にとっての不利益が大きい。このため、盗難や窃盗等が発生し、ケーブルが脱抜されたり断線されて電気的接続が変化した場合には、確実にこれを検知できる構成を有しながら、一方で商品を持ち上げた程度の軽度の商品移動ではケーブルが容易には脱抜しないような構成が盗難防止タグには求められる。
【０００８】
本発明は上述の問題点に鑑み為されたものであり、盗難等が生じていない場合にまで容易にケーブルが脱抜することを防止できる盗難防止タグを提供することを目的とする。
【課題を解決するための手段】
【０００９】
本発明の盗難防止タグは、商品または商品展示台に装着されて、ケーブルに電気的に接続された盗難防止タグにおいて、ケーブルを、任意に解除可能に、固定するクランプ部を備えることを特徴とする。また、好ましくは、クランプ部は、盗難防止タグに対するケーブルの接続方向と異なる前記ケーブルの方向となるようにケーブルを固定する盗難防止タグとすることを特徴とする。
【発明の効果】
【００１０】
盗難等が生じていない場合にまで容易にケーブルが脱抜することを防止できる盗難防止タグを提供できる。
【図面の簡単な説明】
【００１１】
【図１】本実施形態の盗難防止装置の全体概要を説明する斜視図である。
【図２】本実施形態の盗難防止装置の全体概要を説明する斜視図である。
【図３】盗難防止装置の側面をそれぞれ説明する図であり、（ａ）がコネクタ側から観察した状態を説明し、（ｂ）が長手側面側から観察した状態を説明している。
【図４】展示台に装着された盗難防止タグが装着状態のままでケーブルを装着可能であることをさらに詳細に説明する図である。
【図５】（ａ）がケーブルの雄コネクタを盗難防止タグに挿入しようとする状態を説明する図であり、（ｂ）がケーブルの雄コネクタを盗難防止タグの雌コネクタに挿入された後ロックしようとする状態の構成を説明する図である。
【図６】雄コネクタと雌コネクタとのロック構造についてさらに詳細に説明する構成概念図であり、（ａ）が雄コネクタ側から観察した接続構成を説明する図であり、（ｂ）が雌コネクタの内部構成を斜め上方から観察して説明する図である。
【図７】盗難防止タグの全体的な内部構成の概要を説明する簡易分解図である。
【発明を実施するための形態】
【００１２】
実施形態で説明する盗難防止タグは、接続された電気ケーブルが切断されたり抜けたりする等電気的接続が変化した場合の異常を検知し、また警報音を鳴らしたり、ＬＥＤの警告ライトを点滅させたり、あるいは別途の管理親機に異常を通知したりすることにより、盗難発生を抑止する。実施形態の盗難防止タグは、一般には商品または商品の展示台や陳列台に底面を押圧した状態で装着されて使用される。
【００１３】
このような盗難の抑止機能を有する盗難防止装置は、シート式のものやループ紐形状のものやＵＳＢ型のもの等種々の形態・構造のものが知られているが、商品の特性に合わせて最適な取付け方法が異なる場合も多く、その都度どのような装置を利用するか検討し、必要に応じて変更するものとなる。
【００１４】
例えば、盗難防止タグとケーブルとを断線分離可能に接続することにより、商品に取り付けられるケーブルはそのままで盗難防止タグ部分のみをミニタグにしたり、より小型のミニタグに変更したりすることも可能である。一方で、このような盗難防止タグとケーブルとを接続分離可能な別体として構成した場合には、例えばお客様が商品を手にとってケーブルが引っ張られた場合等に盗難防止タグとケーブルとが予期せずに抜けてしまい、警報が発せられるようなケースも想定される。
【００１５】
本実施形態で説明する盗難防止タグにおいては、このような盗難とは関係のない不本意なケーブルの脱抜を防止できるクランプ部を備えることにより、ケーブルが盗難防止タグから抜ける方向と、ケーブルが引っ張られた際の引っ張り方向と、を異なる方向となるようにする。これにより、ケーブルが引っ張られた際の引っ張り力が、コネクタに直接的に作用して意図しない引き抜けが発生することを防止し、不本意な警報発報等を抑制するものとできる。なお、下記の説明では、図面に例示する盗難防止タグに従って説明しているが、本発明が適用可能なタグ等は下記説明される構造や形態に限定されるものではない。
【００１６】
また、ケーブルを電気信号の伝達が可能な構成として親機とタグの間を電気的に接続するような盗難防止装置の構成も可能であるし、ケーブルを電気信号の伝達をしない紐（またはロープ）の機能としこれを商品等に括り付けることでケーブル端子の抜けを検知する構成とすることもできる。ただし、ケーブルを紐機能のみとした場合には、ケーブル端子が抜けずに途中断線のみ生じた場合の検知は困難となる。
【００１７】
（第一の実施形態）
図１及び図２は、本実施形態の盗難防止装置１０００の全体概要を説明する斜視図である。図１及び図２において盗難防止装置１０００は、盗難防止タグ１０１０と、盗難防止タグ１０１０の雌コネクタ（不図示）に挿入される雄コネクタ１１１０を一端に備えるケーブル１１００とを備える。図１及び図２には示していないが、ケーブル１１００の他端は、例えばリング状に構成されて盗難防止装置１０００の親機に連結・係止されたり、商品や商品展示台に連結・係止されたりすることができる。
【００１８】
盗難防止タグ１０１０は、盗難防止タグ１０１０が装着された商品や商品展示台等から離間した場合やケーブル１１００が切断される等電気的接続が変化したり雄コネクタ１１１０が脱抜される等の異常を検知した場合に警報音を出力する警報音発報部１０２０を上面に備える。また、盗難防止タグ１０１０は、上述のような異常を検知した場合に警報ライトを出力する警報ライト発光部１０３０を上面に備える。
【００１９】
また、図１及び図２に示すように、盗難防止タグ１０１０は、雄コネクタ１１１０が挿入される雌コネクタ（不図示）の両側に隣接して配置され、ケーブル１１００を固定する一対のクランプ部１０４０，１０５０を備える。図面では、クランプ部１０４０，１０５０はいずれか一方のみを備える構成としてもよいし、その配置場所も盗難防止タグ１０１０の側面や上面等任意の場所であって良い。
【００２０】
図１及び図２では、ケーブル１１００がクランプ部１０４０に固定されている状態を説明している。これにより、ケーブル１１００が外方から引っ張られた場合に、その引っ張り方向が、雄コネクタ１１１０が引き抜かれる方向とは異なるものとなるので、そのような引っ張り力に基づいて雄コネクタ１１１０が容易には脱抜されることがないものとできる。なお、ケーブル１１００の不図示の端には係止紐が構成されて、商品や商品展示台等に括り付けられる構成とすることができる。
【００２１】
また、図３は、盗難防止装置１０００の側面をそれぞれ説明する図であり、図３（ａ）が雄コネクタ１１１０側から観察した状態を説明し、図３（ｂ）が長手側面側から観察した状態を説明している。図１及び図２と同様に図３においてもケーブル１１００の一端の雄コネクタ１１１０の反対側である他端については記載を省略している。
【００２２】
図３から理解できるように、盗難防止タグ１０１０の底面には押圧検知センサー１０６０が設けられており、商品等に底面を貼付等した正常な状態では、押圧検知センサー１０６０が押圧されて底面内に押し込まれたものとなっている。仮に、盗難防止タグ１０１０が商品等から剥がされた場合には、押圧検知センサー１０６０に対する押圧が解除されて押圧検知センサー１０６０が図３に示すように底面から突出し、これをトリガーとして異常警報を発報する。しかし、例示する盗難防止タグ１０１０のこのような構成は単なる典型例の説明に過ぎず、ケーブルコードと接続されるタグを有する構成の各種盗難防止装置に本発明の技術思想を適宜適用可能である。
【００２３】
また、盗難防止タグ１０１０が備える一対のクランプ部１０４０，１０５０は、盗難防止タグ１０１０の底面から離間して設けられている。これにより、底面との離間分に相当する高低差の箇所からケーブル１１００を通過させて、盗難防止タグ１０１０を商品等に取り付けた状態のままで、クランプ部１０４０，１０５０にケーブルを係止しまたは係止解除することが可能となる。
【００２４】
図４は、展示台１２００に装着された盗難防止タグ１０１０が装着状態のままでケーブル１１００を装着可能であることをさらに詳細に説明する図である。図４に示すように、盗難防止タグ１０１０の底面を展示台１２００に貼付した状態において、展示台１２００とクランプ部１０４０の最下部との間には、間隔ｄが設けられている。間隔ｄは、ケーブル１１００がスムースに通過可能な程度に、ケーブル１１００の直径よりも大きいものとする。
【００２５】
図４に示す構成とすることにより、図４に破線で説明しているように、盗難防止タグ１０１０を展示台１２００に装着したままで、ケーブル１１００をクランプ部１０４０にクリップさせたり、クリップ解除させたりすることが可能となるので、その利便性が高まる。盗難防止タグ１０１０の利用場面においては、対象商品や使用場面等に応じて、ケーブル１１００の長さや種類等を任意に適宜変更する場合も少なくない。
【００２６】
このようなケーブル１１００のみを交換等する場合でも、盗難防止タグ１０１０を商品等から剥がすことなくそのままの実装状態において、交換してクリップ部に固定することが可能となる。また、クリップ部１０４０において、ケーブル１１００が挟持されるトレンチは、奥にいくほど（図４では上方にいくほど）次第に幅が狭くなるテーパ形状とすることが好ましい。
【００２７】
また、挟持されたケーブル１１００がトレンチから重力等により脱落することを防止するように、トレンチ内部に突起状に突出した凸状部を備えるか、またはケーブル１１００がトレンチの深い位置で保持されることが可能な凹状部を備えることがさらに好ましい。
【００２８】
（第二の実施形態）
図５乃至図７は、ケーブルの意図せぬ脱抜をさらに防止することができるケーブルロック構造について説明する図である。図５（ａ）がケーブル２１００の雄コネクタ２１１０を盗難防止タグ２０１０に挿入しようとする状態を説明する図であり、図５（ｂ）がケーブル２１００の雄コネクタ２１１０を盗難防止タグ２０１０の雌コネクタ２０７０に挿入された後ロックしようとする状態の構成を説明する図である。
【００２９】
図５において雄コネクタ２１１０は、φ２．５のミニジャックを用いる典型例として説明して示しているが、他の公知の接続プラグやジャックを用いてもよい。図５（ａ）に示すように、第二の実施形態のケーブル２１００の雄コネクタ２１１０は、その円周上の対向位置に一対の突出部２１１１を備えている。そして、雄コネクタ２１１０を雌コネクタ２０７０に挿入する場合に、突出部２１１１が盗難防止タグ２０１０の雌コネクタ２０７０の周囲に設けられた一対の切り欠き部２０７１に、位置合わせされて合致して嵌まり込む。
【００３０】
嵌まり込んだ後、図５（ｂ）に示すように、雄コネクタ２１１０及びケーブル２１００を時計方向に９０°回転させることで、突出部２１１１が雌コネクタ２０７０の内部の切り欠き部２０７１に連通形成された溝２０７２内を摺動する。そして、突出部２１１１の位置が切り欠き部２０７１の位置から９０°ずれて位置するものとなって、突出部２１１１が当該溝２０７２内に収納されて当該溝２０７２を形成する溝壁に阻まれて露出されず、雄コネクタ２１１０が抜けない状態となる。
【００３１】
雄コネクタ２１１０を引き抜く場合には、雄コネクタ２１１０を反時計方向に９０°回転させて突出部２１１１の位置と切り欠き部２０７１の位置とを整合させることで、突出部２１１１が切り欠き部２０７１を介して露出されるものとなり、雄コネクタ２１１０及びケーブル２１００を盗難防止タグ２０１０の雌コネクタ２０７０から引き抜くことが可能となる。
【００３２】
また、図６は、上述した雄コネクタ２１１０と雌コネクタ２０７０とのロック構造についてさらに詳細に説明する構成概念図であり、図６（ａ）が雄コネクタ２１１０側から観察した接続構成を説明する図であり、図６（ｂ）が雌コネクタ２０７０の内部構成を斜め上方から観察して説明する図である。
【００３３】
図６（ａ）から理解できるように、雄コネクタ２１１０は１８０°対向する円周上に突出部２１１１（１）と突出部２１１１（２）とを備える。当該突出部２１１１（１）と突出部２１１１（２）とは、雄コネクタ２１１０が雌コネクタ２０７０に挿入接続される場合に、雌コネクタ２０７０の切り欠き部２０７１（１）と切り欠き部２０７１（２）とにそれぞれ位置整合するものとされて嵌合される。
【００３４】
嵌め込まれた後、図６（ａ）の矢印方向（時計方向）へ雄コネクタ２１１０を９０°回転させることで、突出部２１１１（１）と突出部２１１１（２）との位置が、切り欠き部２０７１（１）と切り欠き部２０７１（２）との位置と、それぞれ９０°ずれたものとなる（図６（ａ）に破線で示す位置）。従って、突出部２１１１（１）と突出部２１１１（２）とが溝壁２０７３（１）と溝壁２０７３（２）とにそれぞれ阻まれて露出されないものとなって引き抜けないようにロックされるものとなる。
【００３５】
また、図６（ｂ）に示すように、雌コネクタ２０７０の切り欠き部２０７１に連通してその内部に、はめ込まれた突出部２１１１が回転移動するための溝２０７２が設けられており、溝２０７２の外方には当該溝２０７２を形成する溝壁２０７３が形成されている。図６から理解できるように、溝壁２０７３は、雄コネクタ２１１０の円周周囲が挿入可能な程度の大きさの孔径を形成している一方、突出部２１１１を露出させない程度の小さな孔径とされている。このため、突出部２１１１は、孔径が広げられている切り欠き部２０７１のみを介して、溝２０７２内へ挿入されまたは離脱されることが可能となる。
【００３６】
第二の実施形態として説明した上記構成によれば、ケーブルをクランプ部とともに／または突出部においても固定して予期せぬ引き抜きを防止することが可能となるので、より強固なケーブルの固定が可能となる。クランプ部と突出部とのいずれかの構成を備えるものとしてもよいし、共に備える構成としてもよい。共に備える構成を採用すれば、クランプ部に加わる引き抜き時の応力を分散させることができるので、予期せぬ大きな引き抜き力が加えられた場合でもクランプ部の破損を抑制することが可能となる。なお、上述の説明でのロック位置は突出部を９０°回転させた位置として説明しているが、どの回転角度でロックされるものとするのかは任意である。また、１８０°離間した一対の突出部に限定されるものではなく、単一の突出部としてもよく、三以上の突出部を任意箇所に設けるものとしてもよい。
【００３７】
図７は、典型例としての盗難防止タグ２０１０の全体的な内部構成の概要を説明する簡易分解図である。図７に示すように、盗難防止タグ２０１０は、上外装ケース２３００と回路基板２４００と下外装ケース２５００とで構成されており、この３つのピースはケース固定ネジ２５１０でネジ固定されている。
【００３８】
上外装ケース２３００には、警報音発報部２０２０と警報ライト発光部２０３０を構成する音と光を報出するための孔が設けられている。また、上外装ケース２３００は、クランプ部２０４０と雌コネクタ２０７０の上側部分が形成されている。クランプ部２０４０については、第一の実施形態で既に説明している内容と同一であるので、ここでは説明を省略する。
【００３９】
また、回路基板２４００には、例えばＣＲ２０３２等の電池２４１０が実装されており、適宜交換可能とされている。また、回路基板２４００には、ブザー２４２０とＬＥＤ２４４０が実装されており、それぞれ警報音発報部２０２０と警報ライト発光部２０３０から外部へ報知されるものとなる。なお、２４３０は検知スイッチであり、盗難防止タグ２０１０の底面が貼り付けられた所定箇所から剥がされた場合には、これを検知してブザー等を発報させるためのスイッチである。盗難防止タグ２０１０の下外装ケース２５００底面には例えば両面テープを装着して、所定位置に貼付するものとしてもよい。
【００４０】
また、下外装ケース２５００には、雌コネクタ２０７０の下側部分が構成されている。すなわち、下外装ケース２５００の雌コネクタ２０７０の下側部分として、溝２０７２及び溝壁２０７３及び不図示の下側の切り欠き部が形成されている。図７に示す典型例においては、雌コネクタ２０７０のロック構造は、上外装ケース２３００と下外装ケース２５００とが合体固定されることにより完成されるものとなる。また、溝２０７２は、いわゆるネジ穴のように回転とともに雄コネクタが奥方向へ挿入されるような螺旋構造としてもよいし、回転しても奥へ挿入されることがなく挿入方向に対する位置は変わらないような回転面が一定な溝としてもよい。溝２０７２は、回転とともに雄コネクタが奥方向へ挿入されるような螺旋構造とすることが、より確実な電気的接続を確保する観点からは好ましいと考えられる。
【００４１】
本発明の盗難防止タグは、上述の実施形態で説明した構成や使用方法に限定されるものではなく、当業者に自明な範囲でかつ本発明の技術思想の範囲内で適宜その構成や使用方法を変更することができる。
【産業上の利用可能性】
【００４２】
本発明は、盗難防止装置やそのシステム及び商品等に設置する盗難防止タグに好適である。
【符号の説明】
【００４３】
１０００・・盗難防止装置、１０１０・・盗難防止タグ、１０２０・・警報音発報部、１０３０・・警報ライト発光部、１０４０・・クランプ部、１０５０・・クランプ部、１０６０・・押圧検知センサー、１１００・・ケーブル、１１１０・・雄コネクタ、１２００・・展示台。
【図１】
2019040576.tif 000003
【図２】
2019040576.tif 000004
【図３】
2019040576.tif 000005
【図４】
2019040576.tif 000006
【図５】
2019040576.tif 000007
【図６】
2019040576.tif 000008
【図７】
2019040576.tif 000009